(57)【要約】【課題】  ウェブコンテンツの表示（露出）を積極的に行う動機をユーザに与えることを可能とする収集サーバ及び収集方法を提供する。【解決手段】  収集サーバ３０は、ウェブコンテンツの視聴によって付与される付加価値に対応付けられた所定条件を視聴データが満たす場合に、所定条件が満たされた付加価値を提供する制御部３３を備える。所定条件は、付加価値の種類によって異なる特定のウェブコンテンツを視聴することである。【選択図】  図３
2016071559.tif 000002
【特許請求の範囲】
【請求項１】
ウェブコンテンツの視聴データを収集する収集サーバであって、
前記ウェブコンテンツの視聴によって付与される付加価値に対応付けられた所定条件を前記視聴データが満たす場合に、前記所定条件が満たされた付加価値を提供する提供部を備え、
前記所定条件は、前記付加価値の種類によって異なる特定のウェブコンテンツを視聴することであることを特徴とする収集サーバ。
【請求項２】
前記所定条件は、前記特定のウェブコンテンツの視聴回数が所定閾値をこえること、前記特定のウェブコンテンツの視聴時間が所定閾値を超えることであることを特徴とする請求項１に記載の収集サーバ。
【請求項３】
前記所定条件は、前記特定のウェブコンテンツが動画を含む場合に、前記動画を所定時間以上に亘って視聴することであることを特徴とする請求項１に記載の収集サーバ。
【請求項４】
前記所定条件は、複数種類のウェブコンテンツの組合せを前記特定のウェブコンテンツとして視聴することであることを特徴とする請求項１に記載の収集サーバ。
【請求項５】
前記所定条件は、前記収集サーバによって前記視聴データを収集可能なユーザ群に含まれるユーザによって視聴された総回数が所定閾値よりも小さいウェブコンテンツを前記特定のウェブコンテンツとして視聴することであることを特徴とする請求項１に記載の収集サーバ。
【請求項６】
前記所定条件は、前記収集サーバによって前記視聴データを収集可能なユーザ群に含まれるユーザによって視聴された総回数を前記ユーザ群に含まれるユーザの数によって除算することによって得られる平均回数が所定閾値よりも小さいウェブコンテンツを前記特定のウェブコンテンツとして視聴することであることを特徴とする請求項１に記載の収集サーバ。
【請求項７】
前記付加価値は、ユーザのアバターに付与するアイテムであることを特徴とする請求項１に記載の収集サーバ。
【請求項８】
前記付加価値は、第１価値を有する第１付加価値と、前記第１価値よりも高い第２価値を有する第２付加価値とを含み、
前記所定条件は、前記第１付加価値に対応付けられた第１所定条件と、前記第２付加価値に対応付けられた第２所定条件とを含み、
前記第２所定条件を満たす難易度は、前記第１所定条件を満たす難易度よりも高いことを特徴とする請求項１に記載の収集サーバ。
【請求項９】
ウェブコンテンツの視聴データを収集する収集方法であって、
前記ウェブコンテンツの視聴によって付与される付加価値に対応付けられた所定条件を前記視聴データが満たす場合に、前記所定条件が満たされた付加価値を提供するステップを備え、
前記所定条件は、前記付加価値の種類によって異なる特定のウェブコンテンツを視聴することであることを特徴とする収集方法。
【発明の詳細な説明】
【技術分野】
【０００１】
本発明は、ウェブコンテンツの視聴データを収集する収集サーバ及び収集方法に関する。
【背景技術】
【０００２】
従来、ウェブコンテンツの視聴データを収集する様々な技術が提案されている（例えば、特許文献１）。例えば、測定タグを用いる手法やツールバーを用いる手法が提案されている。
【０００３】
測定タグを用いる手法では、ウェブサーバ側においてウェブコンテンツに測定タグが埋め込まれている。ウェブブラウザ側においてウェブコンテンツに埋め込まれた測定タグがウェブブラウザ上で実行されると、ウェブブラウザを識別するクッキーＩＤとウェブコンテンツの視聴データとの対応関係が収集される。
【０００４】
ツールバーを用いる手法では、ツールバーがインストールされたウェブブラウザでウェブコンテンツが視聴された場合に、ツールバーを識別するツールバーＩＤとウェブコンテンツの視聴データとの対応関係が収集される。
【先行技術文献】
【特許文献】
【０００５】
【特許文献１】特開２０１１−５３８１２号公報
【発明の概要】
【発明が解決しようとする課題】
【０００６】
ところで、ウェブコンテンツの表示（露出）の実績は、情報発信の効果を示す指標として用いられるため、ウェブコンテンツによって情報を発信する主体にとって非常に重要な情報である。従って、ウェブコンテンツの表示（露出）を積極的に行う動機をユーザに与える仕組みが求められる。
【０００７】
なお、ウェブコンテンツの一例としては、ウェブコンテンツとともに表示される広告コンテンツ、広告コンテンツの選択（例えば、画像のクリック）によって表示される広告ウェブコンテンツが考えられる。但し、ウェブコンテンツは、広告コンテンツ及び広告ウェブコンテンツなどの広告素材に限定されず、情報発信に用いるコンテンツの全般を含む。
【０００８】
そこで、本発明は、上述した課題を解決するためになされたものであり、ウェブコンテンツの表示（露出）を積極的に行う動機をユーザに与えることを可能とする収集サーバ及び収集方法を提供することを目的とする。
【課題を解決するための手段】
【０００９】
第１の特徴は、ウェブコンテンツの視聴データを収集する収集サーバであって、前記ウェブコンテンツの視聴によって付与される付加価値に対応付けられた所定条件を前記視聴データが満たす場合に、前記所定条件が満たされた付加価値を提供する提供部を備え、前記所定条件は、前記付加価値の種類によって異なる特定のウェブコンテンツを視聴することであることを要旨とする。
【００１０】
第１の特徴において、前記所定条件は、前記特定のウェブコンテンツの視聴回数が所定閾値をこえること、前記特定のウェブコンテンツの視聴時間が所定閾値を超えることである。
【００１１】
第１の特徴において、前記所定条件は、前記特定のウェブコンテンツが動画を含む場合に、前記動画を所定時間以上に亘って視聴することである。
【００１２】
第１の特徴において、前記所定条件は、複数種類のウェブコンテンツの組合せを前記特定のウェブコンテンツとして視聴することである。
【００１３】
第１の特徴において、前記所定条件は、前記収集サーバによって前記視聴データを収集可能なユーザ群に含まれるユーザによって視聴された総回数が所定閾値よりも小さいウェブコンテンツを前記特定のウェブコンテンツとして視聴することである。
【００１４】
第１の特徴において、前記所定条件は、前記収集サーバによって前記視聴データを収集可能なユーザ群に含まれるユーザによって視聴された総回数を前記ユーザ群に含まれるユーザの数によって除算することによって得られる平均回数が所定閾値よりも小さいウェブコンテンツを前記特定のウェブコンテンツとして視聴することである。
【００１５】
第１の特徴において、前記付加価値は、ユーザのアバターに付与するアイテムである。
【００１６】
第１の特徴において、前記付加価値は、第１価値を有する第１付加価値と、前記第１価値よりも高い第２価値を有する第２付加価値とを含み、前記所定条件は、前記第１付加価値に対応付けられた第１所定条件と、前記第２付加価値に対応付けられた第２所定条件とを含み、前記第２所定条件を満たす難易度は、前記第１所定条件を満たす難易度よりも高い。
【００１７】
第２の特徴は、ウェブコンテンツの視聴データを収集する収集方法であって、前記ウェブコンテンツの視聴によって付与される付加価値に対応付けられた所定条件を前記視聴データが満たす場合に、前記所定条件が満たされた付加価値を提供するステップを備え、前記所定条件は、前記付加価値の種類によって異なる特定のウェブコンテンツを視聴することであることを要旨とする。
【発明の効果】
【００１８】
本発明によれば、ウェブコンテンツの表示（露出）を積極的に行う動機をユーザに与えることを可能とする収集サーバ及び収集方法を提供することができる。
【図面の簡単な説明】
【００１９】
【図１】図１は、第１実施形態に係る視聴調査システム１００を示す図である。
【図２】図２は、第１実施形態に係る端末装置１０を示すブロック図である。
【図３】図３は、第１実施形態に係る収集サーバ３０を示すブロック図である。
【図４】図４は、第１実施形態に係る付加価値及び所定条件を説明するための図である。
【図５】図５は、第１実施形態に係る収集方法を示すシーケンス図である。
【発明を実施するための形態】
【００２０】
以下において、本発明の実施形態に係る視聴調査システムについて、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［実施形態の概要］
実施形態に係る収集サーバは、ウェブコンテンツの視聴データを収集する。収集サーバは、前記ウェブコンテンツの視聴によって付与される付加価値に対応付けられた所定条件を前記視聴データが満たす場合に、前記所定条件が満たされた付加価値を提供する提供部を備える。前記所定条件は、前記付加価値の種類によって異なる特定のウェブコンテンツを視聴することである。
【００２３】
実施形態では、ウェブコンテンツの視聴に応じて、所定条件が満たされた付加価値が提供部によって提供される。従って、ウェブコンテンツの表示（露出）を積極的に行う動機をユーザに与えることができる。また、所定条件は、付加価値に対応付けられており、かつ、付加価値の種類によって異なる特定のウェブコンテンツを視聴することである。従って、様々なウェブコンテンツの表示（露出）を積極的に行う動機をユーザに与えることができる。
【００２４】
［第１実施形態］
（視聴調査システム）
以下において、第１実施形態に係る視聴調査システムについて説明する。図１は、第１実施形態に係る視聴調査システム１００を示す図である。
【００２５】
図１に示すように、視聴調査システム１００は、端末装置１０と、コンテンツサーバ２０と、収集サーバ３０と、集計サーバ４０と、ネットワーク５０とを有する。
【００２６】
端末装置１０は、パーソナルコンピュータ、携帯電話、タブレット、テレビ、カーナビゲーションなどの端末である。端末装置１０は、ユーザがウェブコンテンツを閲覧するウェブブラウザなどを制御する機能を有する。ウェブコンテンツの閲覧は、ウェブブラウザではなくて、アプリケーションによって行われてもよい。
【００２７】
第１実施形態において、ウェブコンテンツの一例としては、ウェブコンテンツとともに表示される広告コンテンツ、広告コンテンツの選択（例えば、画像のクリック）によって表示される広告ウェブコンテンツが考えられる。但し、ウェブコンテンツは、広告コンテンツ及び広告ウェブコンテンツなどの広告素材に限定されず、情報発信に用いるコンテンツの全般を含む。さらに、ウェブコンテンツは、静止画のみによって構成されていてもよく、動画を含んでいてもよい。
【００２８】
コンテンツサーバ２０は、ウェブコンテンツを提供するサーバである。ウェブコンテンツは、広告コンテンツ及び広告ウェブコンテンツなどの広告素材に限定されず、情報発信に用いるコンテンツの全般を含む。図１では省略しているが、ネットワーク５０上には、ポータルサイトに対応するウェブページとともに表示される広告コンテンツを提供するＡＤサーバがコンテンツサーバ２０とは別に設けられていてもよい。
【００２９】
収集サーバ３０は、ウェブブラウザによって表示されたウェブコンテンツの視聴データを収集するサーバである。
【００３０】
なお、収集サーバ３０は、広告コンテンツ（例えば、バナー広告）の再露出についても視聴データとして収集してもよい。広告コンテンツの再露出は、端末装置１０によって管理されており、端末装置１０から収集サーバ３０に通知される。広告コンテンツの再露出が端末装置１０によって管理される。従って、ユーザは、ユーザが過去に見逃した広告コンテンツを再視聴することが可能である。また、広告コンテンツの再露出が端末装置１０から収集サーバ３０に通知される。従って、収集サーバは、広告コンテンツの効果測定を効果的に行うことが可能である。ここで、広告コンテンツの再露出は、ユーザが過去に見逃した広告コンテンツを意図的に視聴することを意味するため、”広告コンテンツの再露出”は、広告コンテンツの効果を測定する上で非常に有用な情報である。
【００３１】
視聴データは、例えば、ユーザＩＤ、ウェブコンテンツ（或いは、ウェブコンテンツを識別するコンテンツ識別情報）、ウェブコンテンツの配信時間、ウェブコンテンツによって情報を発信する主体（例えば、広告主）を示す情報を含む。コンテンツ識別情報は、例えば、ウェブコンテンツのアドレスを示すＵＲＬである。ユーザＩＤとしては、端末装置１０及びウェブブラウザに一意に割り振られるクッキーＩＤが用いられてもよい。
【００３２】
集計サーバ４０は、ウェブコンテンツによって情報を発信する主体などの顧客からの要求に応じて、視聴データを集計するサーバである。具体的には、集計サーバ４０は、収集サーバ３０によって収集された視聴データに基づいて、コンテンツ識別情報毎にウェブコンテンツの視聴データを集計する。
【００３３】
例えば、（Ａ）集計サーバ４０は、ウェブコンテンツの総露出回数を集計する。或いは、（Ｂ）集計サーバ４０は、ウェブコンテンツの露出するユーザＩＤ数を集計する。或いは、（Ｃ）集計サーバ４０は、ウェブコンテンツ（ここでは、広告コンテンツ）の総再露出回数を集計する。或いは、（Ｄ）集計サーバ４０は、ウェブコンテンツ（ここでは、広告コンテンツ）の再露出を行うユーザＩＤ数を集計する。
【００３４】
なお、ユーザＩＤがウェブブラウザを一意に識別する情報である場合には、ユーザＩＤ数をウェブブラウザ数と読み替えてもよい。ユーザＩＤが端末装置１０を一意に識別する情報である場合には、ユーザＩＤ数を端末装置数と読み替えてもよい。
【００３５】
ネットワーク５０は、端末装置１０、コンテンツサーバ２０、収集サーバ３０及び集計サーバ４０を接続するネットワークである。ネットワーク５０は、例えば、インターネットである。或いは、ネットワーク５０は、移動体通信網を含んでもよい。
【００３６】
（端末装置）
以下において、第１実施形態に係る端末装置について説明する。図２は、第１実施形態に係る端末装置１０を示すブロック図である。なお、図２では、端末装置１０を構成する機能ブロックが示されている。
【００３７】
図２に示すように、端末装置１０は、通信部１１と、記憶部１２と、表示部１３と、制御部１４とを有する。
【００３８】
通信部１１は、通信モジュール等によって構成されており、ネットワーク５０上に設けられた各種サーバと通信を行う。
【００３９】
記憶部１２は、ＲＯＭ、ＲＡＭ又はＨＤＤによって構成されており、端末装置１０を制御するためのプログラムを記憶する。例えば、記憶部１２は、ウェブコンテンツ（ここでは、広告コンテンツ）の再露出を可能とするために、広告コンテンツそのもの、或いは、広告コンテンツを識別するコンテンツ識別情報を記憶してもよい。
【００４０】
表示部１３は、液晶パネル等によって構成されており、各種情報を表示する。表示部１３は、ウェブコンテンツを表示する。
【００４１】
制御部１４は、ＣＰＵによって構成されており、記憶部１２に記憶されたプログラムに従って端末装置１０を制御する。例えば、制御部１４は、ウェブコンテンツを表示部１３上に表示するウェブブラウザを制御する。また、制御部１４は、ウェブブラウザによって表示されたウェブコンテンツ（ここでは、広告コンテンツ）の再露出を管理してもよい。
【００４２】
（収集サーバ）
以下において、第１実施形態に係る収集サーバについて説明する。図３は、第１実施形態に係る収集サーバ３０を示すブロック図である。なお、図３では、収集サーバ３０を構成する機能ブロックが示されている。
【００４３】
図５に示すように、収集サーバ３０は、通信部３１と、記憶部３２と、制御部３３とを有する。
【００４４】
通信部３１は、通信モジュール等によって構成されており、端末装置１０及びネットワーク５０上に設けられた各種サーバと通信を行う。
【００４５】
記憶部３２は、ＲＯＭ、ＲＡＭ又はＨＤＤによって構成されており、端末装置１０を制御するためのプログラムを記憶する。記憶部３２は、例えば、上述した視聴データを記憶する。また、記憶部３２は、端末装置１０によってウェブコンテンツ（ここでは、広告コンテンツ）の再露出を可能とするために、広告コンテンツそのもの、或いは、広告コンテンツを識別するコンテンツ識別情報を記憶する。
【００４６】
制御部３３は、ＣＰＵによって構成されており、記憶部３２に記憶されたプログラムに従って収集サーバ３０を制御する。収集サーバ３０は、端末装置１０から広告コンテンツのサムネイルを要求された場合に、コンテンツサーバ２０から広告コンテンツを取得して、広告コンテンツを端末装置１０に送信する。
【００４７】
制御部３３は、視聴データを管理する。視聴データは、例えば、ユーザＩＤ、ウェブコンテンツ（或いは、ウェブコンテンツを識別するコンテンツ識別情報）、ウェブコンテンツの配信時間、ウェブコンテンツによって情報を発信する主体を示す情報を含む。
【００４８】
第１実施形態において、制御部３３は、ウェブコンテンツの視聴によって付与される付加価値に対応付けられた所定条件を視聴データが満たす場合に、所定条件が満たされた付加価値を提供する提供部を構成する。所定条件は、付加価値の種類によって異なる特定のウェブコンテンツを視聴することである。付加価値及び所定条件の詳細は、以下に示す通りである。
【００４９】
（１）所定条件は、付加価値の種類によって異なる特定のウェブコンテンツを視聴することである。例えば、図４のＮｏ．１に示すように、付加価値Ａ１に対応付けられた所定条件は、特定のコンテンツａを視聴することである。或いは、図４のＮｏ．６に示すように、付加価値Ｂ１に対応付けられた所定条件は、特定のコンテンツｂを視聴することである。
【００５０】
（２）所定条件は、特定のウェブコンテンツの視聴回数が所定閾値をこえることである。例えば、図４のＮｏ．２に示すように、付加価値Ａ２に対応付けられた所定条件は、特定のコンテンツａの視聴回数が所定閾値ＴＨａ２を超えることである。或いは、図４のＮｏ．７に示すように、付加価値Ｂ２に対応付けられた所定条件は、特定のコンテンツｂの視聴回数が所定閾値ＴＨｂ２を超えることである。
【００５１】
（３）特定のウェブコンテンツの視聴時間が所定閾値を超えることである。例えば、図４のＮｏ．３に示すように、付加価値Ａ３に対応付けられた所定条件は、特定のコンテンツａの視聴時間が所定閾値ＴＨａ３を超えることである。或いは、図４のＮｏ．８に示すように、付加価値Ｂ３に対応付けられた所定条件は、特定のコンテンツｂの視聴時間が所定閾値ＴＨｂ３を超えることである。
【００５２】
（４）所定条件は、特定のウェブコンテンツが動画を含む場合に、動画を所定時間以上に亘って視聴することである。例えば、図４のＮｏ．４に示すように、付加価値Ａ４に対応付けられた所定条件は、特定のコンテンツａに含まれる動画が所定時間ＴＨａ４以上に亘って視聴されることである。或いは、図４のＮｏ．９に示すように、付加価値Ｂ４に対応付けられた所定条件は、特定のコンテンツｂに含まれる動画が所定時間ＴＨｂ４以上に亘って視聴されることである。ここで、所定時間（ＴＨａ４又はＴＨｂ４）は、特定のコンテンツに含まれる動画の総再生時間であってもよい。すなわち、所定条件は、特定のコンテンツに含まれる動画の視聴を完了することである。但し、所定時間（ＴＨａ４又はＴＨｂ４）は、特定のコンテンツに含まれる動画の総再生時間よりも短くてもよい。
【００５３】
（５）所定条件は、複数種類のウェブコンテンツの組合せを特定のウェブコンテンツとして視聴することである。例えば、図４のＮｏ．５に示すように、付加価値Ａ５に対応付けられた所定条件は、特定のコンテンツａ１，ａ２，ａ３の全てを視聴することである。或いは、図４のＮｏ．１０に示すように、付加価値Ｂ５に対応付けられた所定条件は、特定のコンテンツｂ１，ｂ２，ｂ３の全てを視聴することである。
【００５４】
（６）所定条件は、収集サーバ３０によって視聴データを収集可能なユーザ群に含まれるユーザによって視聴された総回数（以下、総視聴回数Ｒ）が所定閾値よりも小さいウェブコンテンツを特定のウェブコンテンツとして視聴することである。例えば、図４のＮｏ．１２に示すように、付加価値Ｃ２に対応付けられた所定条件は、総視聴回数Ｒが所定閾値ＴＨｃよりも小さい特定のコンテンツｃを視聴することである。ここで、付加価値Ｃ２は、特定のコンテンツｃの総視聴回数が所定閾値ＴＨｃ以上であるときに提供される付加価値Ｃ１（図４のＮｏ．１１）よりも高い価値を有することに留意すべきである。或いは、特定のコンテンツｃの総視聴回数Ｒが所定閾値ＴＨｃ以上である場合に、付加価値が提供されなくてもよい。
【００５５】
（７）所定条件は、収集サーバ３０によって視聴データを収集可能なユーザ群に含まれるユーザによって視聴された総回数をユーザ群に含まれるユーザの数によって除算することによって得られる平均回数（以下、平均視聴回数Ｆ）が所定閾値よりも小さいウェブコンテンツを特定のウェブコンテンツとして視聴することである。例えば、図４のＮｏ．１４に示すように、付加価値Ｄ２に対応付けられた所定条件は、平均視聴回数Ｆが所定閾値ＴＨｄよりも小さい特定のコンテンツｄを視聴することである。ここで、付加価値Ｄ２は、特定のコンテンツｄの平均視聴回数Ｆが所定閾値ＴＨｄ以上であるときに提供される付加価値Ｄ１（図４のＮｏ．１３）よりも高い価値を有することに留意すべきである。或いは、特定のコンテンツｄの平均視聴回数Ｆが所定閾値ＴＨｄ以上である場合に、付加価値が提供されなくてもよい。
【００５６】
なお、収集サーバ３０によって視聴データを収集可能なユーザ群とは、視聴データの収集対象であるモニターであることに留意すべきである。また、所定条件は、上述した（１）〜（７）の組合せであってもよい。
【００５７】
第１実施形態において、付加価値は、第１価値を有する第１付加価値と、第１価値よりも高い第２価値を有する第２付加価値とを含む。所定条件は、第１付加価値に対応付けられた第１所定条件と、第２付加価値に対応付けられた第２所定条件とを含む。第２所定条件を満たす難易度は、第１所定条件を満たす難易度よりも高い。例えば、図４に示す例では、付加価値Ａ２又はＡ３は、付加価値Ａ１よりも高い価値を有しており、付加価値Ａ２又はＡ３に対応付けられた所定条件を満たす難易度は、付加価値Ａ１に対応付けられた所定条件を満たす難易度よりも高い。或いは、付加価値Ｃ２又はＤ２は、付加価値Ｃ１又はＤ１よりも高い価値を有しており、付加価値Ｃ２又はＤ２に対応付けられた所定条件を満たす難易度は、付加価値Ｃ１又はＤ１に対応付けられた所定条件を満たす難易度よりも高い。言い換えると、所定条件の難易度が高いほど、高い付加価値が提供される。
【００５８】
第１実施形態において、“所定条件は、付加価値の種類によって異なる特定のウェブコンテンツを視聴することである”とは、ユーザによって視聴されたウェブコンテンツの種類に応じて、互いに異なる付加価値が提供されることを意味する。具体的には、コンテンツａが車の情報を発信する場合に、付加価値Ａ１〜Ａ５は、車に関連する付加価値であることが好ましい。或いは、コンテンツｂが宝石の情報を発信する場合に、付加価値Ｂ１〜Ｂ５は、宝石に関連する付加価値であることが好ましい。
【００５９】
ここで、付加価値は、ユーザのアバターに付与するアイテムであってもよい。具体的には、付加価値は、アバターに付与する車や宝石であってもよい。ユーザのアバターは、収集サーバ３０によって視聴データを収集するためのソフトウェアやツールバーを端末装置１０にインストールすることによって端末装置１０に記憶される。ユーザのアバターは、上述したソフトウェアやツールバーの起動によって端末装置１０に表示される。
【００６０】
（収集方法）
以下において、第１実施形態に係る収集方法について説明する。図５は、第１実施形態に係る収集方法を示すシーケンス図である。ここでは、端末装置１０にインストールされるソフトウェアによって視聴データが収集される。
【００６１】
図５に示すように、ステップＳ１０において、収集サーバ３０は、収集サーバ３０によって視聴データを収集するためのソフトウェアを端末装置１０に送信する。ソフトウェアは、端末装置１０にインストールされる。
【００６２】
ステップＳ２０において、端末装置１０は、ウェブコンテンツを要求するコンテンツ要求をコンテンツサーバ２０に送信する。ウェブコンテンツの一例としては、ウェブコンテンツとともに表示される広告コンテンツ、広告コンテンツの選択（例えば、画像のクリック）によって表示される広告ウェブコンテンツが考えられる。但し、ウェブコンテンツは、広告コンテンツ及び広告ウェブコンテンツなどの広告素材に限定されず、情報発信に用いるコンテンツの全般を含む。さらに、ウェブコンテンツは、静止画のみによって構成されていてもよく、動画を含んでいてもよい。
【００６３】
ステップＳ３０において、コンテンツサーバ２０は、コンテンツ要求に応じて、ウェブコンテンツを端末装置１０に送信する。
【００６４】
ステップＳ４０において、端末装置１０は、ウェブコンテンツを表示（露出）する。ウェブコンテンツは、例えば、ウェブブラウザによって表示される。
【００６５】
ステップＳ５０において、端末装置１０は、ウェブコンテンツの視聴データを収集サーバ３０に送信する。ウェブコンテンツの視聴データは、ステップＳ１０でインストールされたソフトウェアによって収集サーバ３０に送信される。
【００６６】
ステップＳ６０において、収集サーバ３０は、ウェブコンテンツの視聴データに基づいて、端末装置１０に提供すべき付加価値を決定する。
【００６７】
ステップＳ７０において、収集サーバ３０は、付加価値を提供する。付加価値は、例えば、ユーザのアバターに付与するアイテムである。付加価値の提供態様は、付加価値そのものを端末装置１０に送信する態様であってもよく、付加価値を識別する情報を端末装置１０に送信する態様であってもよい。或いは、付加価値は、ネットワーク上に設けられるサーバ（例えば、収集サーバ３０）で端末装置１０のユーザ用に管理されてもよく、端末装置１０で管理されてもよい。従って、付加価値は端末装置１０のユーザに対して提供されればよく、付加価値の提供態様は任意であることに留意すべきである。
【００６８】
ステップＳ８０において、集計サーバ４０は、視聴データを要求するデータ要求を収集サーバ３０に送信する。
【００６９】
ステップＳ９０において、収集サーバ３０は、視聴データを含むデータ応答を集計サーバ４０に送信する。
【００７０】
ステップＳ１００において、集計サーバ４０は、視聴データを集計する。具体的には、集計サーバ４０は、収集サーバ３０によって収集された視聴データに基づいて、ウェブコンテンツの視聴データを様々なパラメータ（例えば、ユーザの属性、配信時間）等を集計する。
【００７１】
（作用及び効果）
第１実施形態では、ウェブコンテンツの視聴に応じて、所定条件が満たされた付加価値が収集サーバ３０によって提供される。従って、ウェブコンテンツの表示（露出）を積極的に行う動機をユーザに与えることができる。また、所定条件は、付加価値に対応付けられており、かつ、付加価値の種類によって異なる特定のウェブコンテンツを視聴することである。従って、様々なウェブコンテンツの表示（露出）を積極的に行う動機をユーザに与えることができる。
【００７２】
［変更例１］
以下において、第１実施形態の変更例１について説明する。以下においては、第１実施形態に対する相違点について主として説明する。
【００７３】
具体的には、第１実施形態では、広告コンテンツの再露出は、端末装置１０によって管理されており、端末装置１０から収集サーバ３０に通知される。変更例１では、このような広告コンテンツの再露出について説明する。
【００７４】
（適用例１）
適用例１において、ウェブコンテンツの表示（露出）を測定するための手法は、例えば、ツールバー、ソフトウェア又は測定タグを用いる手法である。適用例１において、再露出に用いる広告コンテンツは、ネットワーク上に設けられるサーバ（例えば、収集サーバ３０）に記憶されていてもよい。このようなケースにおいて、端末装置１０は、ユーザＩＤ、広告コンテンツそのもの、広告コンテンツの配信時間などを含む広告コンテンツ情報を収集サーバ３０に送信してもよい。或いは、端末装置１０は、ユーザＩＤ、広告コンテンツを識別する広告識別情報、広告コンテンツの配信時間などを含む広告コンテンツ識別情報を収集サーバ３０に送信してもよい。収集サーバ３０は、広告識別情報を用いて広告コンテンツを提供するＡＤサーバにアクセスして、ＡＤサーバから広告コンテンツを取得する。
【００７５】
適用例１において、端末装置１０は、ユーザ操作によって広告コンテンツの再露出指示を受け付けると、広告コンテンツの送信要求を収集サーバ３０に送信する。端末装置１０は、送信要求に応じて収集サーバ３０から返信される広告コンテンツの再露出を行う。適用例１においては、収集サーバ３０は、広告コンテンツの送信要求を端末装置１０から受信するため、広告コンテンツの再露出が行われたことを検出することができる。
【００７６】
（適用例２）
適用例２において、ウェブコンテンツの表示（露出）を測定するための手法は、例えば、ツールバー、ソフトウェア又は測定タグを用いる手法である。適用例２において、再露出に用いる広告コンテンツは、端末装置１０に記憶されていてもよい。このようなケースにおいて、端末装置１０は、ユーザ操作によって広告コンテンツの再露出指示を受け付けると、広告コンテンツの再露出を行うとともに、広告コンテンツの再露出を通知する再露出通知を収集サーバ３０に送信する。なお、再露出通知は、少なくとも、広告コンテンツ識別情報を含むことに留意すべきである。適用例２においては、収集サーバ３０は、再露出通知を端末装置１０から受信するため、広告コンテンツの再露出が行われたことを検出することができる。
【００７７】
なお、適用例２において、収集サーバ３０は、広告コンテンツを特定するために、広告コンテンツ識別情報に含まれる広告識別情報を用いて広告コンテンツを提供するＡＤサーバにアクセスして、ＡＤサーバから広告コンテンツを取得することが好ましい。
【００７８】
（適用例３）
適用例３において、ウェブコンテンツの表示（露出）を測定するための手法は、例えば、プロキシ方式である。適用例３においては、収集サーバ３０がプロキシサーバとして用いられており、再露出に用いる広告コンテンツは、収集サーバ３０に記憶されてもよい。
【００７９】
適用例３において、端末装置１０は、ユーザ操作によって広告コンテンツの再露出指示を受け付けると、広告コンテンツの送信要求を収集サーバ３０に送信する。端末装置１０は、送信要求に応じて収集サーバ３０から返信される広告コンテンツの再露出を行う。適用例３においては、収集サーバ３０は、広告コンテンツの送信要求を端末装置１０から受信するため、広告コンテンツの再露出が行われたことを検出することができる。
【００８０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８１】
実施形態では、収集サーバ３０及び集計サーバ４０が別々のサーバであるが、実施形態はこれに限定されるものではない。収集サーバ３０及び集計サーバ４０は、同一のサーバであってもよい。
【００８２】
実施形態では、付加価値を収集サーバ３０が提供するが、実施形態はこれに限定されるものではない。付加価値は、視聴データを間接的に収集する集計サーバ４０によって提供されてもよい。すなわち、提供部は、集計サーバ４０に設けられていてもよい。
【００８３】
実施形態（例えば、図５を参照）では、視聴データは、ウェブコンテンツの露出後に収集サーバ３０に送信される。しかしながら、実施形態はこれに限定されるものではない。視聴データは、ウェブコンテンツの露出前に収集サーバ３０に送信されてもよい。
【００８４】
実施形態では、（例えば、図５を参照）では、ソフトウェアによって視聴データを収集するケースを例示した。しかしながら、実施形態はこれに限定されるものではない。視聴データは、ツールバー、プロキシ、測定タグ等によって収集されてもよい。
【００８５】
実施形態では特に触れていないが、視聴データを記憶するデータベースは、収集サーバ３０と別々に設けられてもよい。
【００８６】
実施形態では、付加価値がユーザのアバターに付与するアイテムであるケースを例示した。しかしながら、実施形態はこれに限定されるものではない。付加価値は、ユーザに付与される価値であればよく、金銭の割引等の利益を得るためのポイントなどであってもよい。或いは、付加価値は、ユーザのアバター自身の外見を変更する付加価値であってもよい。例えば、化粧品の情報を発信するウェブコンテンツが視聴された場合に、付加価値は、ユーザのアバターの化粧が濃くなるといったものでもよい。
【００８７】
実施形態では、付加価値は、ウェブコンテンツの視聴によって付与されるケースを例示した。しかしながら、実施形態はこれに限定されるものではない。付加価値は、ウェブコンテンツ（ここでは、広告コンテンツ）の再露出によって付与されてもよい。このようなケースにおいては、第１実施形態における“ウェブコンテンツの視聴”を“広告コンテンツの再露出”によって読み替えることに留意すべきである。
【００８８】
実施形態では特に触れていないが、ウェブコンテンツの表示（露出）を測定するための機能（例えば、ツールバーやソフトウェア）をユーザが端末装置１０にインストールする必要がある場合には、実施形態に係る付加価値の付与によって、ウェブコンテンツの表示（露出）を測定するための機能をインストールする動機をユーザに与えることもできる。
【００８９】
実施形態では特に触れていないが、付加価値は、端末装置１０外で使用可能な価値を識別する識別情報であってもよい。このようなケースにおいて、ユーザは、識別情報を店舗等に提示することによって価値を受け取ってもよく、識別情報をネットワーク上のサーバ等に提示することによって価値を受け取ってもよい。
【００９０】
実施形態では、付加価値として、ユーザのアバターに付与するアイテムを例示した。しかしながら、実施形態はこれに限定されるものではない。付加価値は、インターネットを用いるオンラインゲームで用いられるアイテムであってもよく、インターネットを用いずに端末装置１０内で行われるオフラインゲームで用いられるアイテムであってもよい。
【符号の説明】
【００９１】
１０…端末装置、１１…通信部、１２…記憶部、１３…表示部、１４…制御部、２０…コンテンツサーバ、３０…収集サーバ、３１…通信部、３２…記憶部、３３…制御部、４０…集計サーバ、５０…ネットワーク、１００…視聴調査システム
【図１】
2016071559.tif 000003
【図２】
2016071559.tif 000004
【図３】
2016071559.tif 000005
【図４】
2016071559.tif 000006
【図５】
2016071559.tif 000007
【手続補正書】
【提出日】平成27年8月18日(2015.8.18)
【手続補正１】
【補正対象書類名】特許請求の範囲
【補正対象項目名】全文
【補正方法】変更
【補正の内容】
【特許請求の範囲】
【請求項１】
ウェブコンテンツの視聴データを収集する収集サーバであって、
収集された視聴データを記憶するデータベースを用いて、前記データベースに記憶された視聴データを管理する制御部を備え、
前記制御部は、管理されている視聴データが所定条件を満たす場合に、満たされた所定条件に対応付けられた付加価値を、前記ウェブコンテンツの視聴によって付与される付加価値として決定し、
前記所定条件は、前記付加価値の種類によって異なる特定のウェブコンテンツとして、複数種類のウェブコンテンツの組合せを視聴することであることを特徴とする収集サーバ。
【請求項２】
ウェブコンテンツの視聴データを収集する収集サーバであって、
収集された視聴データを記憶するデータベースを用いて、前記データベースに記憶された視聴データを管理する制御部を備え、
前記制御部は、管理されている視聴データが所定条件を満たす場合に、満たされた所定条件に対応付けられた付加価値を、前記ウェブコンテンツの視聴によって付与される付加価値として決定し、
前記所定条件は、前記付加価値の種類によって異なる特定のウェブコンテンツとして、前記収集サーバによって前記視聴データを収集可能なユーザ群に含まれるユーザによって視聴された総回数が所定閾値よりも小さいウェブコンテンツを視聴することであることを特徴とする収集サーバ。
【請求項３】
ウェブコンテンツの視聴データを収集する収集サーバであって、
収集された視聴データを記憶するデータベースを用いて、前記データベースに記憶された視聴データを管理する制御部を備え、
前記制御部は、管理されている視聴データが所定条件を満たす場合に、満たされた所定条件に対応付けられた付加価値を、前記ウェブコンテンツの視聴によって付与される付加価値として決定し、
前記所定条件は、前記付加価値の種類によって異なる特定のウェブコンテンツとして、前記収集サーバによって前記視聴データを収集可能なユーザ群に含まれるユーザによって視聴された総回数を前記ユーザ群に含まれるユーザの数によって除算することによって得られる平均回数が所定閾値よりも小さいウェブコンテンツを視聴することであることを特徴とする収集サーバ。
【請求項４】
前記所定条件は、前記特定のウェブコンテンツの視聴回数が所定閾値をこえること、前記特定のウェブコンテンツの視聴時間が所定閾値を超えることであることを特徴とする請求項１乃至請求項３のいずれかに記載の収集サーバ。
【請求項５】
前記所定条件は、前記特定のウェブコンテンツが動画を含む場合に、前記動画を所定時間以上に亘って視聴することであることを特徴とする請求項１乃至請求項３のいずれかに記載の収集サーバ。
【請求項６】
前記付加価値は、ユーザのアバターに付与するアイテム又はゲームで用いられるアイテムであることを特徴とする請求項１乃至請求項３のいずれかに記載の収集サーバ。
【請求項７】
前記付加価値は、第１価値を有する第１付加価値と、前記第１価値よりも高い第２価値を有する第２付加価値とを含み、
前記所定条件は、前記第１付加価値に対応付けられた第１所定条件と、前記第２付加価値に対応付けられた第２所定条件とを含み、
前記第２所定条件を満たす難易度は、前記第１所定条件を満たす難易度よりも高いことを特徴とする請求項１乃至請求項３のいずれかに記載の収集サーバ。
【請求項８】
ウェブコンテンツの視聴データを収集サーバが収集する収集方法であって、
前記収集サーバが、収集された視聴データを記憶するデータベースを用いて、前記データベースに記憶された視聴データを管理するステップＡと、
前記収集サーバが、管理されている視聴データが所定条件を満たす場合に、満たされた所定条件に対応付けられた付加価値を、前記ウェブコンテンツの視聴によって付与される付加価値として決定するステップＢとを備え、
前記所定条件は、前記付加価値の種類によって異なる特定のウェブコンテンツとして、複数種類のウェブコンテンツの組合せを視聴することであることを特徴とする収集方法。
【請求項９】
ウェブコンテンツの視聴データを収集サーバが収集する収集方法であって、
前記収集サーバが、収集された視聴データを記憶するデータベースを用いて、前記データベースに記憶された視聴データを管理するステップＡと、
前記収集サーバが、管理されている視聴データが所定条件を満たす場合に、満たされた所定条件に対応付けられた付加価値を、前記ウェブコンテンツの視聴によって付与される付加価値として決定するステップＢとを備え、
前記所定条件は、前記付加価値の種類によって異なる特定のウェブコンテンツとして、前記収集サーバによって前記視聴データを収集可能なユーザ群に含まれるユーザによって視聴された総回数が所定閾値よりも小さいウェブコンテンツを視聴することであることを特徴とする収集方法。
【請求項１０】
ウェブコンテンツの視聴データを収集サーバが収集する収集方法であって、
前記収集サーバが、収集された視聴データを記憶するデータベースを用いて、前記データベースに記憶された視聴データを管理するステップＡと、
前記収集サーバが、管理されている視聴データが所定条件を満たす場合に、満たされた所定条件に対応付けられた付加価値を、前記ウェブコンテンツの視聴によって付与される付加価値として決定するステップＢとを備え、
前記所定条件は、前記所定条件は、前記付加価値の種類によって異なる特定のウェブコンテンツとして、前記収集サーバによって前記視聴データを収集可能なユーザ群に含まれるユーザによって視聴された総回数を前記ユーザ群に含まれるユーザの数によって除算することによって得られる平均回数が所定閾値よりも小さいウェブコンテンツを視聴することであることを特徴とする収集方法。